(57)【要約】【課題】監視ポイントからデータを収集する際に必要なポイント定義情報の作成に要する時間を削減し、エンジニアリング作業の効率化・低コスト化を図る。【解決手段】監視装置５は、自装置において監視対象装置を特定するのに必要な識別子とネットワークおよびネットワーク上の装置において監視対象装置を特定するのに必要なアドレス情報を監視対象装置毎に対応付けた装置定義情報と、自装置において監視ポイントの種類を特定するのに必要な識別子とネットワークおよびネットワーク上の監視対象装置において監視ポイントの種類を特定するのに必要なアドレス情報を監視対象装置の種類毎に対応付けた装置テンプレートとに基づいて、監視対象装置の監視ポイントにアクセスする。【選択図】        図１
2005016737.tif 000002
【特許請求の範囲】
【請求項１】
ネットワークを介して接続された複数の監視対象装置の監視ポイントからデータを収集して前記監視対象装置を管理する監視装置において、
前記監視対象装置の識別子と前記監視対象装置のアドレス情報とを監視対象装置毎に定義した装置定義情報と、前記監視ポイントの識別子と前記監視ポイントのアドレス情報とを監視対象装置の種類毎に定義した装置テンプレートとを記憶する記憶手段と、
前記装置定義情報と前記装置テンプレートとに基づいて、前記監視対象装置の監視ポイントにアクセスするデータアクセス手段とを有することを特徴とする監視装置。
【請求項２】
ネットワークを介して接続された複数の監視対象装置の監視ポイントからデータを収集して前記監視対象装置を管理する監視装置において、
前記監視対象装置の識別子と前記監視対象装置のアドレス情報とを監視対象装置毎に定義した装置定義情報と、前記監視ポイントの識別子を監視対象装置の種類毎に定義した装置種類定義情報と、前記監視ポイントの識別子と前記監視ポイントのアドレス情報とを関連する監視ポイントの集まりからなるポイント群毎に定義したポイントテンプレートとを記憶する記憶手段と、
前記装置定義情報と前記装置種類定義情報と前記ポイントテンプレートとに基づいて、前記監視対象装置の監視ポイントにアクセスするデータアクセス手段とを有することを特徴とする監視装置。
【発明の詳細な説明】
【０００１】
【発明の属する技術分野】
本発明は、ビルや工場、プラントなどの施設において、複数の監視対象装置の監視ポイントからデータを収集して各監視対象装置を管理する監視装置に関するものである。
【０００２】
【従来の技術】
従来より、ビルや工場、プラントなどの施設において、複数の監視対象装置の監視ポイントからデータを収集して各監視対象装置を管理する監視装置が提案されている（例えば、特許文献１参照）。このような監視装置内では、監視ポイントは固有の識別子（例えば監視ポイントの名称など）に基づいて管理され、一方、監視対象装置内にある実際の監視ポイントにアクセスするためには、監視装置と監視対象装置との間を接続するネットワークおよび監視対象装置が当該監視ポイントを特定するのに必要な監視ポイントのアドレス情報が必要となる。
【０００３】
図１４は監視ポイントの識別子とアドレス情報とを定義した従来のポイント定義情報の１例を示す図である。図１４に示したポイント定義情報は、図１の構成に対応するものである。図１は本発明の第１の実施の形態となる監視システムの構成を示す図であるが、従来の監視システムにおいてもその構成は同様であるので、図１の符号を用いてポイント定義情報について説明する。
【０００４】
図１４のポイント定義情報は、図１の監視装置５において監視対象装置（ヒュームフード１，２や一般排気バルブ３、定風量バルブ４）を特定するのに必要な識別子である装置名称と、監視装置５において監視対象装置の監視ポイントを特定するのに必要な識別子であるポイント名称と、前記ネットワークおよびネットワーク上の装置において監視対象装置を特定するのに必要なアドレス情報であるデバイス番号と、ネットワークおよびネットワーク上の監視対象装置において監視ポイントを特定するのに必要なアドレス情報であるポイント番号およびポイントタイプと、監視ポイントの内容について記述したポイント説明とを対応付けたものである。監視装置５は、図１４のポイント定義情報を参照して、各監視対象装置内の監視ポイントにアクセスし、データを収集する。なお、出願人は、本明細書に記載した先行技術文献情報で特定される先行技術文献以外には、本発明に関連する先行技術文献を出願時までに発見するには至らなかった。
【０００５】
【特許文献１】
特開平８−２１０６９４号公報
【０００６】
【発明が解決しようとする課題】
監視対象となるポイントがＮ個あるとすれば、ポイント定義情報で設定すべき項目数は、Ｎ×（監視ポイント毎の設定項目数）となる。図１に示すヒュームフード監視システムの例では、ヒュームフードの総数が数百台に及ぶことがあり、監視ポイントの数Ｎは数千に達することがある。そのため、ポイント定義のためのエントリー量は膨大となり、ユーザ（監視システムを設置する作業員や監視システムを利用して監視業務を行う作業員）が行うポイント定義情報の作成は間違いが発生しやすい作業となる。その結果、従来の監視装置では、システム構築の際に、ポイント定義情報の作成とその確認・修正作業に多大な時間を要するという問題点があった。
本発明は、上記課題を解決するためになされたもので、監視ポイントからデータを収集する際に必要なポイント定義情報の作成に要する時間を削減し、エンジニアリング作業の効率化・低コスト化を図ることを目的とする。
【０００７】
【課題を解決するための手段】
本発明は、ネットワークを介して接続された複数の監視対象装置の監視ポイントからデータを収集して前記監視対象装置を管理する監視装置において、前記監視対象装置の識別子と前記監視対象装置のアドレス情報とを監視対象装置毎に定義した装置定義情報と、前記監視ポイントの識別子と前記監視ポイントのアドレス情報とを監視対象装置の種類毎に定義した装置テンプレートとを記憶する記憶手段と、前記装置定義情報と前記装置テンプレートとに基づいて、前記監視対象装置の監視ポイントにアクセスするデータアクセス手段とを有するものである。また、本発明の監視装置は、前記監視対象装置の識別子と前記監視対象装置のアドレス情報とを監視対象装置毎に定義した装置定義情報と、前記監視ポイントの識別子を監視対象装置の種類毎に定義した装置種類定義情報と、前記監視ポイントの識別子と前記監視ポイントのアドレス情報とを関連する監視ポイントの集まりからなるポイント群毎に定義したポイントテンプレートとを記憶する記憶手段と、前記装置定義情報と前記装置種類定義情報と前記ポイントテンプレートとに基づいて、前記監視対象装置の監視ポイントにアクセスするデータアクセス手段とを有するものである。
【０００８】
【発明の実施の形態】
［第１の実施の形態］
以下、本発明の実施の形態について図面を参照して詳細に説明する。図１は本発明の第１の実施の形態となる監視システムの構成を示すブロック図である。本実施の形態では、監視システムの１例としてヒュームフード監視システムを例に挙げて説明する。ヒュームフード監視システムは、研究施設、工場、病院などの施設内で発生する有毒ガス等を局所排気する複数のヒュームフード１と、ヒュームフード１と種類が異なる他のヒュームフード２と、ヒュームフード１，２の稼働状態によって変化する総排気量に応じて余分な給気を施設内から排出する一般排気バルブ３と、施設内から常時一定の風量を排気する定風量バルブ４と、ヒュームフード１，２、一般排気バルブ３および定風量バルブ４の監視ポイントからデータを収集する監視装置５と、監視装置５から送信されたデータを表示する複数の端末装置６と、ヒュームフード１，２、一般排気バルブ３および定風量バルブ４をネットワークに接続するルータ７と、このネットワークと監視装置５とを接続するゲートウェイ装置８と、端末装置６が接続されたイントラネット９と、監視装置５とイントラネット９とを接続するルータ１０とを有している。
【０００９】
図２は監視装置５の構成を示すブロック図である。監視装置５は、ゲートウェイ装置８と接続される第１のインタフェース装置５１と、ルータ１０と接続される第２のインタフェース装置５２と、演算装置５３と、記憶装置５４とを有している。このような監視装置５はコンピュータによって実現することができる。演算装置５３には、監視機能を実現する監視アプリケーションプログラム（監視手段５３１）と、データアクセス機能を実現するデータアクセスプログラム（データアクセス手段５３２）とが少なくとも実装されている。
【００１０】
以下、このような監視システムの動作を説明する。図３は図１の監視システムの動作を示すフローチャートである。ヒュームフード１，２や一般排気バルブ３、定風量バルブ４等の監視対象の装置には、それぞれ複数の監視ポイントが存在する。例えば、ヒュームフード１，２の場合には、排気風量、サッシ開度、人検知センサ、アラームなどがある。このとき、監視装置５内では、監視ポイントは固有の識別子（例えば監視ポイントの名称など）に基づいて管理され、一方、監視対象装置内にある実際の監視ポイントにアクセスするためには、監視装置５と監視対象装置との間を接続するネットワークおよび監視対象装置が当該監視ポイントを特定するのに必要な監視ポイントのアドレス情報が必要となる。監視装置５のデータアクセス手段５３２は、監視ポイントの識別子とアドレス情報とを対応付けたポイント定義情報を予め作成する（図３ステップＳ１）。このポイント定義情報の作成方法については後述する。
【００１１】
次に、監視装置５の監視手段５３１は、フィールドのデータにアクセスするデータアクセス要求を定期的に発生させる（ステップＳ２）。データアクセス手段５３２は、監視手段５３１からデータアクセス要求を受け取ると、各ヒュームフード１，２のコントローラ（不図示）からヒュームフード１，２の稼働状態を表すデータを取得し、一般排気バルブ３のコントローラ（不図示）から一般排気バルブ３の稼働状態を表すデータを取得し、定風量バルブ４のコントローラ（不図示）から定風量バルブ４の稼働状態を表すデータを取得する（ステップＳ３）。
【００１２】
ヒュームフード１，２や一般排気バルブ３、定風量バルブ４等の各監視対象装置の監視ポイントからデータを取得するため、データアクセス手段５３２は、ステップＳ１で作成したポイント定義情報を参照して、監視対象装置宛のデータ要求パケットを作成し、このデータ要求パケットをゲートウェイ装置８に送出する。ゲートウェイ装置８およびルータ７を介してデータ要求パケットを受信した監視対象装置は、データ要求パケットのアドレス情報で指定された監視ポイントのデータを監視装置５に送る。そして、データアクセス手段５３２は、監視対象装置から受け取ったデータを監視手段５３１に渡す。
【００１３】
監視手段５３１は、データアクセス手段５３２から受け取ったデータを監視装置内の記憶装置５４に格納すると共に、このデータを端末装置６に送る。各端末装置６は、監視装置５から受信したデータを表示する（ステップＳ４）。以上のステップＳ２〜Ｓ４の処理が作業員から監視業務終了の指示があるまで（ステップＳ５においてＹＥＳ）、繰り返し行われる。
【００１４】
こうして、監視装置５は、フィールドのデータを定期的に収集して、端末装置６の監視画面に表示させる。また、場合によっては、収集したデータをそのまま表示するだけでなく、監視手段５３１でデータの履歴を表すトレンドグラフを作成した上で端末装置６に表示させる。
【００１５】
次に、本実施の形態のポイント定義情報の作成方法について説明する。まず、本実施の形態では、監視対象装置の種類毎に装置テンプレートＤｔｅｍｐを予め作成しておく。図４は装置テンプレートＤｔｅｍｐの１例を示す図である。装置テンプレートＤｔｅｍｐは、装置テンプレートの種類、すなわち監視対象装置の種類を示すテンプレートタイプと、監視装置５において監視ポイントの種類を特定するのに必要な識別子であるポイント名称と、ネットワークおよびネットワーク上の監視対象装置において監視ポイントの種類を特定するのに必要なアドレス情報であるポイント番号およびポイントタイプと、監視ポイントの内容について記述したポイント説明とを対応付けたものである。
【００１６】
図４において、「ＦＵＭＥＨＯＯＤ」、「ＦＵＭＥＨＯＯＤ＿２」、「ＧＥＸ」、「ＣＡＶ」は、それぞれヒュームフード１、ヒュームフード２、一般排気バルブ３、定風量バルブ４に対応した装置テンプレートであることを示している。
【００１７】
同一種類の監視対象装置では、監視ポイントの組み合わせが同一である。また、同一種類の監視対象装置では、同一種類の監視ポイントに同一のポイント名称と同一のポイント番号と同一のポイントタイプが付与されている。例えば、テンプレートタイプ「ＦＵＭＥＨＯＯＤ」に対応する複数のヒュームフード１では、排気風量のポイント名称は全て「ｆｌｏｗ」であり、ポイント番号は「１２」であり、ポイントタイプは「ＡＩ」である。
【００１８】
以上のような装置テンプレートＤｔｅｍｐは、ユーザ（監視システムを設置する作業員や監視システムを利用して監視業務を行う作業員）が端末装置６を操作することによって作成される。作成された装置テンプレートＤｔｅｍｐは、監視装置内の記憶装置５４に格納される。
【００１９】
なお、装置テンプレートＤｔｅｍｐには、監視対象装置の監視ポイントだけでなく、管理用のデータ項目を任意に追加することも可能である。図４の例では、管理用のデータ項目として、装置の最小風量を示す「ｍｉｎｉＦｌｏｗ」、装置が設置された部屋の名称である「ＲＯＯＭ」、装置が接続されたマニフォールドの名称である「ＭＡＮＩＦＯＬＤ」、装置が設置されたフロアの名称である「ＦＬＯＯＲ」が追加されている。
【００２０】
次に、本実施の形態では、監視対象装置毎に装置定義情報Ｄｄｅｆを予め作成しておく。図５は装置定義情報Ｄｄｅｆの１例を示す図である。装置定義情報Ｄｄｅｆは、監視装置５において監視対象装置を特定するのに必要な識別子である装置名称と、前記テンプレートタイプと、ネットワークおよびネットワーク上の装置において監視対象装置を特定するのに必要なアドレス情報であるデバイス番号と、装置の内容について記述した装置説明とを監視対象装置毎に対応付けたものである。この装置定義情報Ｄｄｅｆも、ユーザが端末装置６を操作することによって作成され、作成された装置定義情報Ｄｄｅｆは、監視装置内の記憶装置５４に格納される。
【００２１】
以上のような装置定義情報Ｄｄｅｆと装置テンプレートＤｔｅｍｐとに基づいて、監視装置５のデータアクセス手段５３２は、ポイント定義情報Ｐｄｅｆを作成する。図６はポイント定義情報Ｐｄｅｆの１例を示す図である。ポイント定義情報Ｐｄｅｆは、装置名称とテンプレートタイプとデバイス番号とポイント番号とポイントタイプとポイント名称とポイント説明とを対応付けたものである。これらの情報のうちデバイス番号とポイント番号とポイントタイプとが、ネットワークおよびネットワーク上の装置において監視対象装置を特定し且つ監視対象装置内の監視ポイントを特定するのに必要なアドレス情報を構成している。
【００２２】
監視装置５のデータアクセス手段５３２は、装置定義情報Ｄｄｅｆから１レコード、すなわち１台の監視対象装置の装置定義情報を取り出して、この装置定義情報からテンプレートタイプを取得し、このテンプレートタイプに基づいて装置テンプレートＤｔｅｍｐから当該監視対象装置に対応する装置テンプレートを取得する。そして、データアクセス手段５３２は、取得した装置定義情報と装置テンプレートとを合わせることで、監視対象装置のポイント定義情報を作成する。データアクセス手段５３２は、このようなポイント定義情報の作成を、装置定義情報Ｄｄｅｆに登録されている監視対象装置毎に行う。
【００２３】
以上のように、本実施の形態では、装置定義情報Ｄｄｅｆと装置テンプレートＤｔｅｍｐとからポイント定義情報Ｐｄｅｆを作成することができるので、従来のようにポイント定義情報を１ポイントずつ作成する必要がなくなる。その結果、ポイント定義を効率的に行うことができ、ポイント定義のエンジニアリング作業に要するコストを低減することができる。
【００２４】
本実施の形態は、監視対象装置の種類毎に装置テンプレートＤｔｅｍｐを用意している。装置テンプレートＤｔｅｍｐにおいては、同一種類の監視対象装置の同一種類の監視ポイントに同一のポイント名称と同一のポイント番号と同一のポイントタイプを付与しているので、ポイント定義のためのエントリー量を従来よりも低減することができる。したがって、本実施の形態は、同一種類の監視対象装置を多数有する監視システムにおいて特に有効である。
【００２５】
また、本実施の形態では、装置テンプレートＤｔｅｍｐを継承してポイント定義情報Ｐｄｅｆを作成しているが、継承元の装置テンプレートＤｔｅｍｐがユーザによって変更された場合、データアクセス手段５３２は、装置テンプレートＤｔｅｍｐの変更に応じてポイント定義情報Ｐｄｅｆを自動的に変更する。したがって、装置テンプレートＤｔｅｍｐの変更を遅滞なくポイント定義情報Ｐｄｅｆに反映させることができる。
【００２６】
なお、前述のように、同一種類の監視対象装置では、同一種類の監視ポイントに同一のポイント名称と同一のポイント番号と同一のポイントタイプとが付与されているので、ポイント名称のみでは個々の監視ポイントを管理することはできない。監視装置５において個々の監視ポイントを管理するには、ポイント名称と共に装置名称等を監視ポイントの識別子として用いる必要がある。
【００２７】
［第２の実施の形態］
第１の実施の形態では、ポイント定義情報Ｐｄｅｆを予め作成しておき、監視装置５の監視手段５３１がデータアクセス要求を発生させたときにデータアクセス手段５３２が監視ポイントにアクセスしているが、第１の実施の形態の監視システムにおいて、ポイント定義情報Ｐｄｅｆを作成することなく監視ポイントにアクセスすることも可能である。
【００２８】
図７は本実施の形態の監視システムの動作を示すフローチャートであり、図３と同一の処理には同一の符号を付してある。第１の実施の形態と異なるのは、ポイント定義情報Ｐｄｅｆを作成しない点とステップＳ３ａのデータ取得処理である。監視装置５のデータアクセス手段５３２は、監視手段５３１からデータアクセス要求を受け取ったとき（ステップＳ２においてＹＥＳ）、ポイント定義情報Ｐｄｅｆを作成する場合と同様にして装置定義情報と装置テンプレートとを取得し、この装置定義情報と装置テンプレートとからネットワークおよびネットワーク上の装置において監視対象装置を特定し且つ監視対象装置内の監視ポイントを特定するのに必要なアドレス情報を求め、このアドレス情報によりデータ要求パケットを作成する（ステップＳ３ａ）。これにより、第１の実施の形態と同様のデータ収集を実現することができる。
【００２９】
［第３の実施の形態］
第１の実施の形態では、装置テンプレートＤｔｅｍｐを予め用意しているが、第１の実施の形態の監視システムにおいて、監視ポイントの組み合わせを監視対象装置の種類毎に定義した装置種類定義情報と、ポイント名称とネットワークおよびネットワーク上の装置において監視ポイントの種類を特定するのに必要なアドレス情報とをポイント群毎に対応付けたポイントテンプレートとに基づいて、装置テンプレートＤｔｅｍｐを作成するようにしてもよい。
【００３０】
図４は、装置テンプレートＤｔｅｍｐの１例を示す図であるが、それぞれの装置種類ごとに、共通するポイント群が存在する。
図８は、これらの共通ポイント群をポイントテンプレートの１例として示す図である。ここでは、流量制御のポイント群２種類（ｆｌｏｗＣｏｎｔｒｏｌ，ｆｌｏｗＣｏｎｔｒｏｌ＿２）とアラーム関連ポイント群（ａｌａｒｍｓ）、および管理用データ項目群（ｍａｎａｇｅｍｅｎｔ）についてポイントテンプレートＰｔｅｍｐを示す。ポイントテンプレートＰｔｅｍｐは、ポイントテンプレート名称とポイント名称とポイント番号とポイントタイプとポイント説明とを対応付けたものであり、装置テンプレートＤｔｅｍｐの部分集合である。ポイントテンプレートＰｔｅｍｐも便宜上Ｄｔｅｍｐとして表し、装置テンプレートと同じ扱いをする。
【００３１】
図９は、ポイントテンプレートＰｔｅｍｐを用いて図４で示した装置テンプレートＤｔｅｍｐと同一の定義を行う１例である。例えば図９のテンプレートタイプ「ＦＵＭＥＨＯＯＤ」の装置テンプレートにおいて継承の項目に記述された「ｆｌｏｗＣｏｎｔｒｏｌ」，「ａｌａｒｍｓ」，「ｍａｎａｇｅｍｅｎｔ」の各ポイント群については、ポイントテンプレートＰｔｅｍｐで定義されたポイント名称とポイント番号とポイントタイプとポイント説明とを用いる。一方、継承の項目に記述されていないポイントについては、図９の装置テンプレートＤｔｅｍｐに記述されたポイント名称とポイント番号とポイントタイプとポイント説明とを用いる。このように、ポイントテンプレートＰｔｅｍｐを装置テンプレートＤｔｅｍｐと同格として扱うことで、装置テンプレートＤｔｅｍｐを定義するのに、他の装置テンプレートを継承することができる。
【００３２】
図１０（ａ）は、図４のテンプレートタイプ「ＦＵＭＥＨＯＯＤ」の装置テンプレートに対して、ポイント名称「ｆｌｏｗ」の監視ポイントのポイント番号が異なり、またポイント名称「ｔｅｍｐａｒａｔｕｒｅ」の新たな監視ポイントが付け加えられた装置テンプレートＤｔｅｍｐを示す図である。
このようにすでに定義されている装置テンプレートを元に、変更点の記述（ポイント番号が異なるポイントと追加されたポイントの記述）を行うことで、新たな装置種類を定義することが可能である。
【００３３】
監視装置５のデータアクセス手段５３２は、図３のステップＳ１の処理の前に、図１０の装置テンプレートＤｔｅｍｐの継承関係を処理し、図１０（ｂ）に示すような継承関係の存在しない装置テンプレートＤｔｅｍｐ’を作成する。すなわち、データアクセス手段５３２は、図４のテンプレートタイプ「ＦＵＭＥＨＯＯＤ」の装置テンプレートを継承してテンプレートタイプ「ＦＵＭＥＨＯＯＤ＿Ｘ」の装置テンプレートを作成するが、このときポイント名称「ｆｌｏｗ」と「ｔｅｍｐａｒａｔｕｒｅ」の監視ポイントについては図１０（ａ）の記述を用いる。そして、データアクセス手段５３２は、装置テンプレートＤｔｅｍｐ’を利用して、図６を用いて説明した要領でポイント定義情報Ｐｄｅｆを作成する。継承元の装置テンプレートＤｔｅｍｐがユーザによって変更された場合、データアクセス手段５３２は、装置テンプレートＤｔｅｍｐの変更に応じてＤｔｅｍｐ’を自動的に変更し、ポイント定義情報Ｐｄｅｆも自動的に変更する。
【００３４】
なお、第２の実施の形態で説明したポイント定義情報Ｐｄｅｆの場合と同様に、装置テンプレートＤｔｅｍｐ’を予め作成することなく、装置定義情報Ｄｄｅｆと装置テンプレートＤｔｅｍｐとに基づいて監視ポイントにアクセスするようにしてもよい。この場合、データアクセス手段５３２は、監視手段５３１からデータアクセス要求を受け取ったとき、装置定義情報Ｄｄｅｆから装置テンプレートＤｔｅｍｐを求め、継承関係を解決して監視対象ポイントのアドレス情報を求め、このアドレス情報によりデータ要求パケットを作成する（図７ステップＳ３ａ）。
【００３５】
［第４の実施の形態］
第１の実施の形態〜第３の実施の形態では、デバイス番号とポイント番号とポイントタイプとを単純に列記したものをアドレス情報としているが、装置定義情報Ｄｄｅｆに記述されているアドレス情報と装置テンプレートＤｔｅｍｐに記述されているアドレス情報とに基づいて所定の演算を行って最終的なアドレス情報を生成するようにしてもよい。
【００３６】
図１１に、相対アドレス指定方法の例を示す。図１１の例は、たとえばゲートウェイ装置８で下位に接続されている監視対象装置のアドレスが変換されてしまい、各フードの監視ポイントヘのアドレス指定が、デバイス番号ではなく、（デバイス番号×１００＋ポイント番号）となるように設定されている場合の例である。図１１に示す装置テンプレートＤｔｅｍｐでは、ポイント番号に＋記号を付与することで、アドレスが相対指定であることを示している。
図１２に示すように、装置定義情報Ｄｄｅｆに、各フード毎に割り当てられるレジスタブロックの先頭番号を指定することで、図１３のポイント定義情報Ｐｄｅｆに示すように、各装置毎の監視ポイントのアドレスを（先頭番号＋ポイント番号）として最終的なアドレス情報を生成することができる。
【００３７】
なお、第１の実施の形態〜第４の実施の形態では、複数のヒュームフード１，２、一般排気バルブ３および定風量バルブ４を監視するヒュームフード監視システムを例に挙げて説明しているが、これに限るものではなく、他の装置を監視するシステムであってもよい。また、ルータ７、ゲートウェイ装置８およびルータ１０は、必ずしも設けなくてもよく、各施設のネットワーク状況に応じて適宜変更可能であることは言うまでもない。
【００３８】
【発明の効果】
本発明によれば、装置定義情報と装置テンプレートとを予め作成しておき、この装置定義情報と装置テンプレートとに基づいて、監視対象装置の監視ポイントにアクセスするようにしたので、従来のようにポイント定義情報を１ポイントずつ作成する必要がなくなる。その結果、単調作業の繰り返しを低減して、ポイント定義の誤りを低減することができるので、ポイント定義情報（装置定義情報と装置テンプレート）の作成、確認および修正のエンジニアリング作業を効率的に行うことができ、エンジニアリング作業に要するコストを低減することができる。近年、監視システムの低価格化が進行しているが、客先へのシステム納入価格面で見た場合、ポイント定義情報の作成、確認および修正のエンジニアリング作業に要するコストの比率が非常に高くなってきている。このエンジニアリング作業に要するコストを低減することができれば、客先への納入価格を低減させることができるだけでなく、客の購買意欲を刺激し販売数量増による売り上げ額の上積みや原価低減による利益増などを狙うことができる。本発明は、監視対象装置の種類毎に装置テンプレートを用意するので、同一種類の監視対象装置を多数有する監視システムにおいて特に有効である。
【００３９】
また、装置定義情報と装置種類定義情報とポイントテンプレートとを予め作成しておき、この装置定義情報と装置種類定義情報とポイントテンプレートとに基づいて、監視対象装置の監視ポイントにアクセスするようにしたので、上記と同様に、ポイント定義情報の作成、確認および修正のエンジニアリング作業を効率的に行うことができ、エンジニアリング作業に要するコストを低減することができる。
【図面の簡単な説明】
【図１】本発明の第１の実施の形態となる監視システムの構成を示すブロック図である。
【図２】本発明の第１の実施の形態における監視装置の構成を示すブロック図である。
【図３】図１の監視システムの動作を示すフローチャートである。
【図４】本発明の第１の実施の形態における装置テンプレートの１例を示す図である。
【図５】本発明の第１の実施の形態における装置定義情報の１例を示す図である。
【図６】本発明の第１の実施の形態におけるポイント定義情報の１例を示す図である。
【図７】本発明の第２の実施の形態となる監視システムの動作を示すフローチャートである。
【図８】本発明の第３の実施の形態におけるポイントテンプレートの１例を示す図である。
【図９】本発明の第３の実施の形態においてポイントテンプレートを用いて装置テンプレートと同一の定義を行う１例を示す図である。
【図１０】本発明の第３の実施の形態における装置テンプレートの他の例を示す図である。
【図１１】本発明の第４の実施の形態において相対アドレス指定を用いた装置テンプレートの１例を示す図である。
【図１２】本発明の第４の実施の形態における装置定義情報の１例を示す図である。
【図１３】本発明の第４の実施の形態におけるポイント定義情報の１例を示す図である。
【図１４】従来のポイント定義情報の１例を示す図である。
【符号の説明】
１、２…ヒュームフード、３…一般排気バルブ、４…定風量バルブ、５…監視装置、６…端末装置、７…ルータ、８…ゲートウェイ装置、９…イントラネット、１０…ルータ、５１、５２…インタフェース装置、５３…演算装置、５４…記憶装置、５３１…監視手段、５３２…データアクセス手段。
【図１】
2005016737.tif 000003
【図２】
2005016737.tif 000004
【図３】
2005016737.tif 000005
【図４】
2005016737.tif 000006
【図５】
2005016737.tif 000007
【図６】
2005016737.tif 000008
【図７】
2005016737.tif 000009
【図８】
2005016737.tif 000010
【図９】
2005016737.tif 000011
【図１０】
2005016737.tif 000012
【図１１】
2005016737.tif 000013
【図１２】
2005016737.tif 000014
【図１３】
2005016737.tif 000015
【図１４】
2005016737.tif 000016